(57)【特許請求の範囲】
【請求項１】
道路地図情報の配信サービスのための事前登録をした携帯電話操作者側の操作キー、表示画面を含む携帯電話と、
前記携帯電話と無線接続する携帯電話通信網と、
前記携帯電話通信網と接続された携帯電話事業者の運用する携帯電話通信コンピュータ装置と、
前記携帯電話に対して道路情報を配信表示するための携帯電話用表示プログラムを備えるアプリケーションサービスプロバイダである道路地図情報配信事業者が運用する道路地図情報配信コンピュータ装置と、
前記携帯電話通信コンピュータ装置と、前記道路地図情報配信コンピュータ装置との間の交信を行う通信網と、
を有する携帯電話を利用する道路情報配信表示システムであって、
前記道路地図情報配信コンピュータ装置は、
道路上の各地点の渋滞情報を収集するＶＩＣＳ（登録商標）情報収集手段と、
区分けした道路エリア内の複数の道路上の各地点名表示と、前記各地点を連続して繋ぐ帯状道路表示を含むとともに、前記渋滞情報を基に前記帯状道路表示を色分け表示した道路地図基本情報を作成する道路基本地図情報作成手段と、
前記各地点の渋滞情報を基に前記複数の道路上の各地点間の所要時間を算出し、前記所要時間を前記帯状道路表示に付帯させた時間付加道路地図情報を作成する時間付加道路地図情報作成手段と、
前記道路地図基本情報、時間付加道路地図情報を前記携帯電話の表示画面に表示させるとともに、表示に必要な操作を実行させる操作キー・キー操作内容表示、メニュー、道路地図基本情報の表示欄の隅部に表示させる複数ルートの選択項目を含むサブメニュー、当該選択項目に応じた各ルートの選択結果画面の情報を含む配信サービス用の携帯電話用表示プログラムを前記携帯電話側からの送信要求に応じて送信可能に格納するアプリケーションサーバーと、
前記道路地図基本情報、時間付加道路地図情報、前記操作キー・キー操作内容表示、メニュー、サブメニュー、各ルートの選択結果画面の情報を格納し前記携帯電話側からの送信要求に応じて送信する地図情報サーバーと、
を有し、
前記携帯電話は、
前記携帯電話通信網、携帯電話通信コンピュータ装置及び前記通信網を経て道路地図情報配信コンピュータ装置と交信する送受信部と、
前記送受信部にて受信した携帯電話用表示プログラムと、前記道路地図基本情報、時間付加道路地図情報とを格納する記憶部と、
前記携帯電話用表示プログラムに基づき、携帯電話操作者の操作キーの操作に応じて前記道路地図基本情報、時間付加道路地図情報を選択的に携帯電話の表示画面に表示させ、前記表示画面に表示される前記時間付加道路地図情報により前記道路上の各地点間の所要時間を携帯電話操作者の視認に供するとともに、前記複数ルートの選択項目から選択されるルートの選択結果画面を携帯電話操作者の視認に供する携帯制御部と、
を有することを特徴とする携帯電話を利用する道路情報配信表示システム。
【請求項２】
道路地図情報の配信サービスのための事前登録をした携帯電話操作者側の操作キー、表示画面を含む携帯電話と、
前記携帯電話と無線接続する携帯電話通信網と、
前記携帯電話通信網と接続された携帯電話事業者の運用する携帯電話通信コンピュータ装置と、
前記携帯電話に対して道路情報を配信表示するための携帯電話用表示プログラムを備えるアプリケーションサービスプロバイダである道路地図情報配信事業者が運用する道路地図情報配信コンピュータ装置と、
前記携帯電話通信コンピュータ装置と、前記道路地図情報配信コンピュータ装置との間の交信を行う通信網と、
を有する携帯電話を利用する道路情報配信表示システムであって、
前記道路地図情報配信コンピュータ装置は、
道路上の各地点の渋滞情報を受信して収集するＶＩＣＳ（登録商標）情報受信部及びＶＩＣＳ（登録商標）情報記憶部からなるＶＩＣＳ（登録商標）情報収集手段と、
複数の道路上の各地点名表示と、前記各地点を連続して繋ぐ帯状道路表示を含む簡易的な源地図情報を、前記各地点を緯度、経度情報に関連付けて記憶している源地図情報データベースと、前記渋滞情報を基に前記帯状道路表示を渋滞情報に応じて色分け表示した道路地図基本情報を作成する道路基本地図情報作成部とからなる道路基本地図情報作成手段と、
前記各地点の渋滞情報を基に前記複数の道路上の各地点間の所要時間を算出する所要時間算出部と、算出した前記所要時間を前記帯状道路表示の各地点間に付帯させた時間付加道路地図情報を作成する道路基本地図情報作成部と、からなる時間付加道路地図情報作成手段と、
前記道路地図基本情報、時間付加道路地図情報を前記携帯電話の表示画面に表示させるとともに、表示に必要な操作を実行させる操作キー・キー操作内容表示、メニュー、道路地図基本情報の表示欄の隅部に表示させる複数ルートの選択項目を含むサブメニュー、当該選択項目に応じた各ルートの選択結果画面の情報を含む前記道路地図情報配信コンピュータ装置側で作成した配信サービス用の携帯電話用表示プログラムを前記携帯電話側からの送信要求に応じて送信可能に格納するアプリケーションサーバーと、
前記道路地図基本情報、時間付加道路地図情報、前記操作キー・キー操作内容表示、メニュー、サブメニュー、各ルートの選択結果画面の情報を格納し前記携帯電話側からの送信要求に応じて送信する地図情報サーバーと、
を有し、
前記携帯電話は、
前記携帯電話通信網、携帯電話通信コンピュータ装置及び前記通信網を経て道路地図情報配信コンピュータ装置と交信する送受信部と、
前記送受信部にて受信した携帯電話用表示プログラムと、前記道路地図基本情報、時間付加道路地図情報とを格納する記憶部と、
前記携帯電話用表示プログラムに基づき、携帯電話操作者の操作キーの操作に応じて前記道路地図基本情報、時間付加道路地図情報を選択的に携帯電話の表示画面に表示させ、前記表示画面に表示される前記時間付加道路地図情報により前記道路上の各地点間の所要時間を携帯電話操作者の視認に供するとともに、前記複数ルートの選択項目から選択されるルートの選択結果画面を携帯電話操作者の視認に供する携帯制御部と、
を有することを特徴とする携帯電話を利用する道路情報配信表示システム。
【請求項３】
道路地図情報の配信サービスのための事前登録をした携帯電話操作者側の表示画面を含む携帯電話と、
前記携帯電話と無線接続する携帯電話通信網と、
前記携帯電話通信網と接続された携帯電話事業者の運用する携帯電話通信コンピュータ装置と、
前記携帯電話に対して道路情報を配信表示するための携帯電話用表示プログラムを備えるアプリケーションサービスプロバイダである道路地図情報配信事業者が運用する道路地図情報配信コンピュータ装置と、
前記携帯電話通信コンピュータ装置と、前記道路地図情報配信コンピュータ装置との間の交信を行う通信網と、
を有する携帯電話を利用する道路情報配信表示システムに用いられる携帯電話用表示プログラムであって、
携帯電話側からの送信要求に応じて前記道路地図情報配信コンピュータ装置から携帯電話側に配信されるとともに、
前記携帯電話の複数の操作キーに対する各種の操作機能割り当てを行い、割り当てた操作キーに対応する各種操作キー・キー操作内容表示を携帯電話の画面へ表出させる処理と、
前記操作キー・キー操作内容表示に応じたキー操作により携帯電話の画面表示を切り替える処理と、
前記道路地図情報配信コンピュータ装置から前記携帯電話に送信される区分けした道路エリア内の複数の道路上の緯度、経度情報に関連付けた各地点名表示と、前記各地点を連続して繋ぐ帯状道路表示を含むとともに渋滞情報を基に前記帯状道路表示を色分け表示した道路地図基本情報と、前記各地点の渋滞情報を基に算出した前記複数の道路上における各地点間の所要時間を前記帯状道路表示に付帯させた時間付加道路地図情報と、を割り当てられた対応するキー操作に応じて携帯電話の画面へ表示させる処理と、
操作に必要なメニュー、道路地図基本情報の表示欄の隅部に表示させる複数ルートの選択項目を含むサブメニュー、当該選択項目に応じた各ルートの選択結果画面の情報を携帯電話の画面へ表示させる処理と、
を携帯電話側で実行することを特徴とする携帯電話を利用する道路情報配信表示システムに用いられる携帯電話用表示プログラム。
【発明の詳細な説明】
【技術分野】
【０００１】
本発明は、簡略操作にて走行する高速道路上の各地点の所要時間を渋滞状況に応じた帯状道路表示に付帯させた時間付加道路地図情報を画面表示でき、道路走行の便宜に供することができる携帯電話を利用する道路情報配信表示システム及び該道路情報配信表示システムに用いられる携帯電話用表示プログラムに関するものである。
【背景技術】
【０００２】
近年、ＶＩＣＳ（（登録商標）：道路交通情報通信システム）対応のＧＰＳ（Global Positioning System：全地球測位システム）の発展により携帯電話の画面やカーナビゲーション装置の画面等に自動車で走行している道路の交通規制や渋滞状況等の道路情報が加味された簡易道路地図情報を表示し、特に、自動車を運転するユーザの便宜を図るシステムが実現され、汎用されている。
【０００３】
本願の出願人は、先に特許文献１に開示するようにユーザ側の携帯端末において動作しているアプリケーションに対して、該ユーザが予め選択し登録した高速道路の簡易地図情報を送信して簡易地図を描画表示し、該簡易地図上にユーザが予め選択し登録した高速道路の路線の渋滞状況や規制状況を画像、文字で表示するようにした携帯端末用交通情報提供システムを提案している。
【０００４】
しかし、従来においては、この種の技術分野において、例えば高速道路の各ＩＣ（インターチェンジ）間の如く、道路上の各地点間における個々の所要時間情報を求めて、利用者側の携帯電話等の画面に簡易道路地図情報とともに各地点間の個々の所要時間情報をも表示し、利用者の道路走行の便宜に供するようにしたとともに、携帯電話の画面における道路地図基本情報の表示欄の隅部に複数ルート選択項目を含むサブメニューを表示させたり、複数ルートから選択した所望の選択結果画面の情報を表示させるという技術要素の下に、携帯電話操作者が走行する道路のうちの所望するルートの選択及び選択結果の確認も簡略で、携帯電話操作者がこれから走行しようとする目的地へのルート選択の利便性が一層高まるようにした道路情報配信表示システムは見当たらないのが現状である。
【先行技術文献】
【特許文献】
【０００５】
【特許文献１】特開２００５−２０７９２１号公報
【発明の概要】
【発明が解決しようとする課題】
【０００６】
本発明が解決しようとする問題点は、携帯電話操作者の簡略操作にて走行する各地点の所要時間を渋滞状況に応じた帯状道路表示に付帯させた時間付加道路地図情報を画面表示でき、道路走行の便宜に供することができるとともに、携帯電話の画面における道路地図基本情報の表示欄の隅部に複数ルート選択項目を含むサブメニューを表示させたり、複数ルートから選択した所望の選択結果画面の情報を表示させるという技術要素の下に、携帯電話操作者が走行する道路のうちの所望するルートの選択及び選択結果の確認も簡略で、携帯電話操作者がこれから走行しようとする目的地へのルート選択の利便性を一層高めるようにした携帯電話を利用する道路情報配信表示システムが存在しない点である。
【課題を解決するための手段】
【０００７】
本発明は、道路地図情報の配信サービスのための事前登録をした携帯電話操作者側の操作キー、表示画面を含む携帯電話と、前記携帯電話と無線接続する携帯電話通信網と、前記携帯電話通信網と接続された携帯電話事業者の運用する携帯電話通信コンピュータ装置と、前記携帯電話に対して道路情報を配信表示するための携帯電話用表示プログラムを備えるアプリケーションサービスプロバイダである道路地図情報配信事業者が運用する道路地図情報配信コンピュータ装置と、前記携帯電話通信コンピュータ装置と、前記道路地図情報配信コンピュータ装置との間の交信を行う通信網と、を有する携帯電話を利用する道路情報配信表示システムであって、前記道路地図情報配信コンピュータ装置は、道路上の各地点の渋滞情報を収集するＶＩＣＳ（登録商標）情報収集手段と、区分けした道路エリア内の複数の道路上の各地点名表示と、前記各地点を連続して繋ぐ帯状道路表示を含むとともに、前記渋滞情報を基に前記帯状道路表示を色分け表示した道路地図基本情報を作成する道路基本地図情報作成手段と、前記各地点の渋滞情報を基に前記複数の道路上の各地点間の所要時間を算出し、前記所要時間を前記帯状道路表示に付帯させた時間付加道路地図情報を作成する時間付加道路地図情報作成手段と、前記道路地図基本情報、時間付加道路地図情報を前記携帯電話の表示画面に表示させるとともに、表示に必要な操作を実行させる操作キー・キー操作内容表示、メニュー、道路地図基本情報の表示欄の隅部に表示させる複数ルートの選択項目を含むサブメニュー、当該選択項目に応じた各ルートの選択結果画面の情報を含む配信サービス用の携帯電話用表示プログラムを前記携帯電話側からの送信要求に応じて送信可能に格納するアプリケーションサーバーと、前記道路地図基本情報、時間付加道路地図情報、前記操作キー・キー操作内容表示、メニュー、サブメニュー、各ルートの選択結果画面の情報を格納し前記携帯電話側からの送信要求に応じて送信する地図情報サーバーと、を有し、前記携帯電話は、前記携帯電話通信網、携帯電話通信コンピュータ装置及び前記通信網を経て道路地図情報配信コンピュータ装置と交信する送受信部と、前記送受信部にて受信した携帯電話用表示プログラムと、前記道路地図基本情報、時間付加道路地図情報とを格納する記憶部と、前記携帯電話用表示プログラムに基づき、携帯電話操作者の操作キーの操作に応じて前記道路地図基本情報、時間付加道路地図情報を選択的に携帯電話の表示画面に表示させ、前記表示画面に表示される前記時間付加道路地図情報により前記道路上の各地点間の所要時間を携帯電話操作者の視認に供するとともに、前記複数ルートの選択項目から選択されるルートの選択結果画面を携帯電話操作者の視認に供する携帯制御部と、を有することを最も主要な特徴とする。
【発明の効果】
【０００８】
請求項１又は２記載の発明によれば、携帯電話の表示画面に表示される道路地図基本情報を視認して渋滞箇所、非渋滞箇所の把握が容易であることに加え、携帯電話操作者が簡略な切替操作を行うだけで、表示画面に表示される時間付加道路地図情報を視認して高速道路の各地点間における所要時間を迅速、容易に把握することができ、更に、携帯電話操作者が走行する道路のうちの所望するルートの選択及び選択結果の確認も簡略であり、道路走行の便宜に多大に資することができる携帯電話を利用する道路情報配信表示システムを実現し提供することができる。
【００１０】
請求項３記載の発明によれば、請求項１又は２記載の道路情報配信表示システムを構築できるアプリケーションサービス提供タイプのプログラムを実現し提供することができる。
【図面の簡単な説明】
【００１１】
【図１】図１は本発明の実施例に係る携帯電話を利用する道路情報配信表示システムの全体構成を示す概略ブロック図である。
【図２】図２は本実施例に係る携帯電話を利用する道路情報配信表示システムにおける道路地図情報配信コンピュータ装置の構成を示す概略ブロック図である。
【図３】図３は本実施例に係る道路情報配信表示システムにおける携帯電話の一例を示す概略正面図である。
【図４】図４は本実施例に係る道路情報配信表示システムにおける携帯電話の一例の構成を示す概略ブロック図である。
【図５】図５は本実施例に係る道路情報配信表示システムにおける携帯電話の表示画面におけるトップメニューからサブメニュー表示までの処理を示すフローチャートである。
【図６】図６は本実施例に係る道路情報配信表示システムにおける携帯電話の表示画面におけるトップメニューからサブメニューまでの表示例を示す説明図である。
【図７】図７は本実施例に係る道路情報配信表示システムにおける携帯電話の表示画面における道路地図基本情報、時間付加道路地図情報の切替表示例を示す説明図である。
【図８】図８は本実施例に係る道路情報配信表示システムにおける携帯電話の表示画面における道路地図基本情報、時間付加道路地図情報の拡大、縮小表示例を示す説明図である。
【図９】図９は本実施例に係る道路情報配信表示システムにおける携帯電話の表示画面におけるサブメニュー中の「規制情報の詳細を見る」の処理を示すフローチャートである。
【図１０】図１０は本実施例に係る道路情報配信表示システムにおける携帯電話の表示画面におけるサブメニュー中の「規制情報の詳細を見る」に関する表示画面の画面推移を示す説明図である。
【図１１】図１１は本実施例に係る道路情報配信表示システムにおける携帯電話の表示画面におけるサブメニュー中の「他のマップ（地図）へ」に関する表示画面の画面推移を示す説明図である。
【図１２】図１２は本実施例に係る道路情報配信表示システムにおける携帯電話の表示画面におけるサブメニュー中の「操作方法について」、「お知らせ」に関する表示画面の画面推移を示す説明図である。
【図１３】図１３は本実施例に係る道路情報配信表示システムにおける携帯電話の表示画面におけるサブメニュー中の「ルート検索」に関するメニュー表示からルート１検索結果までの処理を示すフローチャートである。
【図１４】図１４は本実施例に係る道路情報配信表示システムにおける携帯電話の表示画面におけるサブメニュー中の「ルート検索」に関するメニュー表示から都心環状線選択までの画面推移を示す説明図である。
【図１５】図１５は本実施例に係る道路情報配信表示システムにおける携帯電話の表示画面におけるサブメニュー中の「ルート検索」に関する設定からルート全体図表示に至る画面推移を示す説明図である。
【図１６】図１６は本実施例に係る道路情報配信表示システムにおける携帯電話の表示画面における３種のルート全体図の表示例を示す説明図である。
【図１７】図１７は本実施例に係る道路情報配信表示システムにおける携帯電話の表示画面におけるルート１の検索結果画面を示す説明図である。
【図１８】図１８は本実施例に係る道路情報配信表示システムにおける携帯電話の表示画面におけるサブメニュー中のルート全体図におけるルート１から関東高速全体図への画面切替処理を示す説明図である。
【図１９】図１９は本実施例に係る道路情報配信表示システムにおける携帯電話の表示画面におけるサブメニュー中のルート１に関する概要文字情報の表示例を示す説明図である。
【図２０】図２０は本実施例に係る道路情報配信表示システムにおける携帯電話の表示画面におけるルート全体図からルート１、ルート２、ルート３の選択項目表示を消失させた表示例を示す説明図である。
【図２１】図２１は本実施例に係る道路情報配信表示システムにおけるルート１の検索結果画面を表示画面に表示した後における首都高から関東高速へのマップ切替処理を示すフローチャートである。
【図２２】図２２は本実施例に係る道路情報配信表示システムにおけるルート１の検索結果画面を表示画面に表示した後における首都高から関東高速へのマップ切替処理を概念的に示す説明図である。
【図２３】図２３は本発明の実施例に係る道路情報配信表示システムにおけるルート１の検索結果画面を表示画面に表示した後における関東高速から首都高へのマップ切替処理を示すフローチャートである。
【図２４】図２４はルート１の検索結果画面を表示画面に表示した後における関東高速から首都高へのマップ切替処理を概念的に示す説明図である。
【発明を実施するための形態】
【００１２】
本発明は、携帯電話操作者の簡略操作にて走行する各地点の所要時間を渋滞状況に応じた帯状道路表示に付帯させた時間付加道路地図情報を画面表示できるとともに、携帯電話の画面における道路地図基本情報の表示欄の隅部に複数ルート選択項目を含むサブメニューを表示させたり、複数ルートから選択した所望の選択結果画面の情報を表示させるという技術要素の下に、携帯電話操作者が走行する道路のうちの所望するルートの選択及び選択結果の確認も簡略で、携帯電話操作者がこれから走行しようとする目的地へのルート選択の利便性を一層高めるようにした携帯電話を利用する道路情報配信表示システムを実現し提供するという目的を、道路地図情報の配信サービスのための事前登録をした携帯電話操作者側の操作キー、表示画面を含む携帯電話と、前記携帯電話と無線接続する携帯電話通信網と、前記携帯電話通信網と接続された携帯電話事業者の運用する携帯電話通信コンピュータ装置と、前記携帯電話に対して道路情報を配信表示するための携帯電話用表示プログラムを備えるアプリケーションサービスプロバイダである道路地図情報配信事業者が運用する道路地図情報配信コンピュータ装置と、前記携帯電話通信コンピュータ装置と、前記道路地図情報配信コンピュータ装置との間の交信を行う通信網と、を有する携帯電話を利用する道路情報配信表示システムであって、前記道路地図情報配信コンピュータ装置は、道路上の各地点の渋滞情報を受信して収集するＶＩＣＳ（登録商標）情報受信部及びＶＩＣＳ（登録商標）情報記憶部からなるＶＩＣＳ（登録商標）情報収集手段と、複数の道路上の各地点名表示と、前記各地点を連続して繋ぐ帯状道路表示を含む簡易的な源地図情報を、前記各地点を緯度、経度情報に関連付けて記憶している源地図情報データベースと、前記渋滞情報を基に前記帯状道路表示を渋滞情報に応じて色分け表示した道路地図基本情報を作成する道路基本地図情報作成部とからなる道路基本地図情報作成手段と、前記各地点の渋滞情報を基に前記複数の道路上の各地点間の所要時間を算出する所要時間算出部と、算出した前記所要時間を前記帯状道路表示の各地点間に付帯させた時間付加道路地図情報を作成する道路基本地図情報作成部と、からなる時間付加道路地図情報作成手段と、前記道路地図基本情報、時間付加道路地図情報を前記携帯電話の表示画面に表示させるとともに、表示に必要な操作を実行させる操作キー・キー操作内容表示、メニュー、道路地図基本情報の表示欄の隅部に表示させる複数ルートの選択項目を含むサブメニュー、当該選択項目に応じた各ルートの選択結果画面の情報を含む前記道路地図情報配信コンピュータ装置側で作成した配信サービス用の携帯電話用表示プログラムを前記携帯電話側からの送信要求に応じて送信可能に格納するアプリケーションサーバーと、前記道路地図基本情報、時間付加道路地図情報、前記操作キー・キー操作内容表示、メニュー、サブメニュー、各ルートの選択結果画面の情報を格納し前記携帯電話側からの送信要求に応じて送信する地図情報サーバーと、を有し、前記携帯電話は、前記携帯電話通信網、携帯電話通信コンピュータ装置及び前記通信網を経て道路地図情報配信コンピュータ装置と交信する送受信部と、前記送受信部にて受信した携帯電話用表示プログラムと、前記道路地図基本情報、時間付加道路地図情報とを格納する記憶部と、前記携帯電話用表示プログラムに基づき、携帯電話操作者の操作キーの操作に応じて前記道路地図基本情報、時間付加道路地図情報を選択的に携帯電話の表示画面に表示させ、前記表示画面に表示される前記時間付加道路地図情報により前記道路上の各地点間の所要時間を携帯電話操作者の視認に供するとともに、前記複数ルートの選択項目から選択されるルートの選択結果画面を携帯電話操作者の視認に供する携帯制御部と、を有する構成により実現した。
【実施例】
【００１３】
以下、本発明の実施例に係る携帯電話を利用する道路情報配信表示システム及び該道路情報配信表示システム用のプログラムについて説明する。
【００１４】
本実施例に係る携帯電話２を利用する道路情報配信表示システム１は、図１に示すように、この道路情報配信表示システム１を利用するための事前登録をした携帯電話操作者が保有する操作キー３、液晶ディスプレイのような表示画面（表示部）４を含み、無線通信機能を有する携帯電話２と、前記携帯電話２と無線接続する公知の携帯電話通信網３１と、前記携帯電話通信網３１と接続されるとともに、前記携帯電話操作者と携帯電話２の利用に関する契約を締結した携帯電話事業者が運用する携帯電話通信コンピュータ装置４１と、前記携帯電話２に対して詳細は後述する各種道路に関する情報を配信表示するための携帯電話用表示プログラムを備えるアプリケーションサービスプロバイダである道路地図情報配信事業者が運用する道路地図情報配信コンピュータ装置６１と、前記携帯電話通信コンピュータ装置４１と、前記道路地図情報配信コンピュータ装置６１との間の交信を行うインターネットのような公知の通信網５１と、前記携帯電話通信コンピュータ装置４１と例えば専用回線で接続され、前記携帯電話２の利用に伴う料金徴収処理を行う金融機関コンピュータ装置９１と、を有している。
【００１５】
前記携帯電話通信網３１は、図１に示すように、携帯電話回線網３２及び携帯電話基地局３３を具備した公知の構成からなる。
【００１６】
前記道路地図情報配信コンピュータ装置６１は、図２に示すように、例えば関東地方の高速道路（首都高速及び関東高速）の各地点から送信されるＶＩＣＳ（（登録商標）：道路交通情報通信システム）情報を受信するＶＩＣＳ（登録商標）情報受信部６２と、受信したＶＩＣＳ（登録商標）情報を記憶するＶＩＣＳ（登録商標）情報記憶部６３と、関東地方の高速道路（首都高速及び関東高速）の複数の道路上の各地点名表示と、前記各地点を連続して繋ぐ帯状道路表示を含む簡易的な源地図情報を、前記各地点を緯度、経度情報に関連付けて記憶している源地図情報ＤＢ（データベース）６４と、前記源地図情報ＤＢ６４に記憶した源地図情報と、前記ＶＩＣＳ（登録商標）情報記憶部６３に記憶したＶＩＣＳ（登録商標）情報とを基に、各道路の渋滞状況を判定して源地図情報の帯状道路表示を色分け表示（例えば渋滞箇所を赤帯表示、非渋滞箇所を緑帯表示）した道路地図基本情報を作成する道路地図基本情報作成部６５と、作成した道路地図基本情報を記憶する第１ＤＢ（データベース）６６と、前記ＶＩＣＳ（登録商標）情報記憶部６３に記憶したＶＩＣＳ（登録商標）情報を基に、道路上の各地点間の所要時間を算出する所要時間算出部６７と、前記第１ＤＢ６６に記憶した道路地図基本情報と、所要時間算出部６７にて算出した各地点間の所要時間とを基に、前記所要時間を前記帯状道路表示に付帯させた時間付加道路地図情報を作成する時間付加道路地図情報作成部６８と、作成した時間付加道路地図情報を記憶する第２ＤＢ（データベース）６９と、本実施例に係る携帯電話を利用する道路情報配信表示システム１の運用に必要なトップメニュー、サブメニュー、サブメニューに関連する階層構造の各種詳細情報等のような各種関連文字情報の作成を行い、作成した各種関連文字情報を第３ＤＢ（データベース）７１に記憶させ、携帯電話用表示プログラムに組み込む係員操作用の関連文字情報作成端末７０と、前記通信網５１に接続したＷＥＢサーバー７２と、前記携帯電話２からの送信要求に応じて前記第１ＤＢ６６、第２ＤＢ６９から前記道路地図基本情報、時間付加道路地図情報を読み出し、これらを前記ＷＥＢサーバー７２を経て前記携帯電話２に向けて送信する地図情報サーバー７３と、本実施例に係る携帯電話を利用する道路情報配信表示システム１の運用に必要な予め作成した携帯電話用表示プログラム、すなわち、前記道路地図基本情報、時間付加道路地図情報及び各種関連文字情報を前記携帯電話２の表示画面４に表示させ、携帯電話操作者の操作や視認に供するために必要な携帯電話用表示プログラムを格納するアプリケーションＤＢ（データベース）７４と、前記携帯電話２からの送信要求に応じて前記アプリケーションＤＢ７４から前記携帯電話用表示プログラムを読み出し、前記ＷＥＢサーバー７２を経て前記携帯電話２に向けて送信するアプリケーションサーバー７５と、を有している。
なお、図２において、ＶＩＣＳ情報受信部６２と、ＶＩＣＳ情報記憶部６３については、「登録商標」の記載を省略している。
【００１７】
前記携帯電話用表示プログラムの主要な内容としては、携帯電話２側からの送信要求に応じて前記道路地図情報配信コンピュータ装置６１から携帯電話２側に送信されるとともに、前記携帯電話２の操作キー３における複数の操作キーに対する各種の操作機能割り当てを行い、割り当てた操作キーに対応する各種操作キー・キー操作内容表示を携帯電話２の表示画面４へ表出させる処理と、前記操作キー・キー操作内容表示に応じたキー操作により携帯電話２の画面表示を切り替える処理と、前記携帯電話２側からの送信要求に応じて前記道路地図情報配信コンピュータ装置６１から前記携帯電話２に送信される前記道路地図基本情報、時間付加道路地図情報を割り当てられた対応するキー操作に応じて携帯電話の画面へ表示させる処理と、を携帯電話２側の携帯制御部１０の制御の基に実行させるものである。
【００１８】
次に、前記携帯電話２の具体例について図３、図４を参照して詳述する。
前記携帯電話２は、例えば図３に示すように、操作キー３、表示画面４を含み、中央部から折り畳む構成としている。
【００１９】
なお、図３に示す携帯電話２は、一例であり特にこれに限定されるものでないことは勿論である。
【００２０】
前記携帯電話用表示プログラムによる操作キー３に対するキー割り当てについての一例を以下に説明する。
【００２１】
前記操作キー３は、公知のように、０〜９のテンキー群、上下左右のスクロールキー５、＊キー６、＃キー７等を有している。
【００２２】
本実施例においては、前記携帯電話用表示プログラムに基づき、テンキー群における「０」キーにメニューキーとしての機能を、テンキー群における「１」キーにルート非表示機能を、テンキー群における「３」キーにマップ（地図）切替（例えば首都高と関東高速との切替等）機能を、テンキー群における「５」キーに後述する操作キー・キー操作内容表示等を表示画面４から消失させる非表示機能を割り当てている。
【００２３】
また、前記携帯電話用表示プログラムに基づき、＊キー６に更新機能を、＃キー７所要時間又は規制表示又は事象の切替機能を割り当てている。
【００２４】
更に、図３に示す操作キー３において、前記携帯電話用表示プログラムに基づき、決定キー８、戻るキー９を同図に示すように割り当て、また、前記スクロールキー５はメニュー中の項目選択等の機能を割り当てている。
【００２５】
前記決定キー８には、選択内容決定機能、地図情報の拡大、縮小機能等を割り当てている。
【００２６】
更に、前記携帯電話用表示プログラムに基づき、表示画面４に各種操作キー・キー操作内容表示を表出させるように構成している。
【００２７】
すなわち、前記「０」キーに対応して、「０：メニュー」からなる操作キー・キー操作内容表示を、前記「３」に対応して、「３：関東高速マップ切替」又は「３：首都高マップ切替」からなる操作キー・キー操作内容表示を、前記「５」キーに対応して、「５：非表示」からなる操作キー・キー操作内容表示を、前記＃キー７に対応して、「＃：所要時間」、又は「＃：規制表示」又は「＃：事象」からなる各操作キー・キー操作内容表示を、前記＊キー６に対応して、「＊：更新」からなる操作キー・キー操作内容表示を、各々前記表示画面４の地図情報表示欄の上欄に表出させるように構成している。
【００２８】
次に、前記携帯電話２全体の概略構成について、図４を参照して説明する。
【００２９】
前記携帯電話２は、既述した操作キー３及び表示画面（表示部）４と、この携帯電話２自体の全体の制御を行う携帯制御部１０と、公知のＧＰＳ（Global Positioning System：全地球測位システム）による携帯電話２の位置に応じたＧＰＳ情報を受信するＧＰＳ情報受信部１１と、ＧＰＳ情報受信部１１にて受信したＧＰＳ情報を最新のＧＰＳ情報に更新しつつ記憶し、最新のＧＰＳ情報を携帯制御部１０に伝送するＧＰＳ情報記憶部１１Ａと、携帯電話２自体の動作に必要な電力供給を行うとともに操作キー３のうちの所定の操作キーの操作に応じてオン、オフする電源部１２と、操作キー３の各操作キーの操作に応じた入力制御を行うとともに、操作入力制御部１３と、前記表示画面４に表示する各種地図情報、各種文字情報の表示制御を行う表示制御部１４と、前記道路地図情報配信コンピュータ装置６１から受信する前記携帯電話用表示プログラム、前記道路地図基本情報、前記時間付加道路地図情報、前記各種関連文字情報を一次的に記憶するＲＡＭのような記憶部１５と、前記携帯電話通信網３１に無線接続し、各種情報の送信、受信を行う送受信部１６と、送信情報の変調、受信情報の復調を行う変調復調部１７と、を有している。
【００３０】
次に、本実施例に係る携帯電話２を利用する道路情報配信表示システム１の動作について、図５乃至図２４をも参照して前記携帯電話用表示プログラムに基づく携帯電話２の表示画面４の各種の表示態様別に説明する。
【００３１】
（表示態様Ａ）トップメニューからサブメニュー表示まで；
携帯電話２の表示画面４におけるトップ画面からサブメニュー表示までについて、図５、図６を参照して説明する。
【００３２】
携帯電話操作者は、携帯電話２を使用して事前登録時に設定されているＩＤ、パスワードを基に、前記携帯電話通信網３１、携帯電話通信コンピュータ装置４１、通信網５１を経て道路地図情報配信コンピュータ装置６１のＷＥＢサーバー７２にログインした交信を開始し、前記携帯電話用表示プログラム、道路地図基本情報、時間付加道路地図情報等の配信要求を行う。
【００３３】
前記道路地図情報配信コンピュータ装置６１の前記アプリケーションサーバー７５は、前記配信要求に応じてアプリケーションＤＢ７４から前記携帯電話用表示プログラムを読み出し、前記ＷＥＢサーバー７２を経て上述した通信ルートと逆向きの通信ルートを経て携帯電話２に送信する。
【００３４】
また、道路地図情報配信コンピュータ装置６１の前記地図情報サーバー７３は、前記第１ＤＢ６６から道路地図基本情報を、前記第２ＤＢ６９から時間付加道路地図情報を読み出して、前記ＷＥＢサーバー７２を経て上述した通信ルートと逆向きの通信ルートを経て携帯電話２に送信する。
【００３５】
前記携帯電話２の携帯制御部１０は、受信した携帯電話用表示プログラムを記憶部１５に一時的に格納するとともに、この携帯電話用表示プログラムに基づき最初に図６（ａ）に示すように、区分けした複数の道路エリア選択するためのトップメニューを携帯電話２の表示画面４に縦列配置に表示する。
【００３６】
複数の道路エリアの内容は、例えば、首都高（首都高速道路）、阪高（阪神高速道路）、関東高速（関東高速道路）、中部高速（中部高速道路）、近畿高速（近畿高速道路）の各項目からなる。
【００３７】
図６（ａ）の表示を見た携帯電話操作者が、スクロールキー５を操作して首都高を選択すると、図６（ｂ）に示すように、前記携帯電話２の携帯制御部１０は前記携帯電話用表示プログラムに基づき携帯電話２の表示画面４に、首都高の初期画面を表示するとともに、「中心に表示する位置を選択後、決定ボタン（決定キー）を押して下さい」との案内メッセージも短時間（２、３秒間）だけ併せて表示する。
【００３８】
次に、前記携帯電話２の携帯制御部１０は、前記携帯電話用表示プログラムに基づいて、図６（ｃ）に示すように、携帯電話２の首都高の初期画面が表示されている表示画面４に位置選択のためのカーソル（四角枠で示す）を表示する。
【００３９】
ここで、携帯電話操作者が、スクロールキー５を操作し、前記カーソルを首都高の初期画面中の所望の位置に移動し、決定キー８を押すと、前記携帯電話２の携帯制御部１０は、前記携帯電話用表示プログラムに基づき、図６（ｄ）に示すように、携帯電話操作者の決定操作に対応する領域の首都高内の道路地図基本情報を表示画面４に表示する。
【００４０】
このときの表示画面４中における道路地図基本情報の表示欄の上部には、図６（ｄ）に示すように、前記携帯電話用表示プログラムに基づいて、「＊：更新」、「０：メニュー」、「＃：所要時間」の各操作キー・キー操作内容表示が横並びに表示され、また、道路地図基本情報の表示欄の上部には、前記携帯電話用表示プログラムに基づき、「決定ボタン（決定キー）で拡大、縮小されます」との文字情報が表示される。
【００４１】
図６（ｄ）に示す表示画面４において、携帯電話操作者が操作キー３における「０」キーを押すと、図６（ｅ）に示すように、表示画面４中における道路地図基本情報の表示欄の隅部にサブメニューが表示される。このサブメニューの項目は、「規制情報の詳細を見る」、「他のマップ（地図）へ」、「ルート検索」、「操作方法」について、「お知らせ表示」の５項目である。これらの具体的内容は後述する。
【００４２】
図６（ｄ）に示す表示画面４において、＊キー６を押すと、表示画面４における道路地図基本情報が最新の道路地図基本情報に更新される。
【００４３】
（表示態様Ｂ）道路地図基本情報、時間付加道路地図情報の切替；
図６（ｄ）に示す表示画面４と同様な図７（ａ）に示す表示画面４において、携帯電話操作者が、「＃：所要時間」に対応する＃キー７を押すと、図５にも示すように、前記携帯電話２の携帯制御部１０は、前記携帯電話用表示プログラムに基づき、表示画面４の表示内容を、図７（ｂ）に示すように、首都高内の道路地図基本情報の表示から同じ領域の時間付加道路地図情報に切り替えるとともに、操作キー・キー操作内容表示中の「＃：所要時間」を「＃：規制表示」に変更する。
【００４４】
前記図７（ｂ）に示す時間付加道路地図情報における前記携帯電話２の携帯制御部１０は、携帯電話用表示プログラムに基づいて、例えば首都高中の出入口である三宅坂、代官町間の所要時間を、緑帯表示上に２分、赤帯表示上に８分のように区分して表示する。この他の多数の出入口間における所要時間表示についても各々同様である。
【００４５】
また、携帯電話操作者が、図７（ｂ）に示す表示画面４において、＃キー７を押すと、当該表示画面４の表示内容は図７（ａ）に示す表示内容に戻る。
【００４６】
このようにして、本実施例に係る携帯電話２を利用する道路情報配信表示システム１によれば、携帯電話２の表示画面４に表示される道路地図基本情報を視認して渋滞箇所、非渋滞箇所の把握が容易であることは勿論のこと、携帯電話操作者が簡略な切替操作を行うだけで、携帯電話２の表示画面４に表示される時間付加道路地図情報を視認して首都高中の各出入口間の所要時間を迅速、容易に把握することができる。
更に、本実施例に係る携帯電話２を利用する道路情報配信表示システム１によれば、後記するように、携帯電話の画面における道路地図基本情報の表示欄の隅部に複数ルート選択項目を含むサブメニューを表示させたり、複数ルートから選択した所望の選択結果画面の情報を表示させるという技術要素の下に、携帯電話操作者が走行する道路のうちの所望するルートの選択及び選択結果の確認も簡略で、携帯電話操作者がこれから走行しようとする目的地へのルート選択の利便性を一層高めることができる。
【００４７】
図８（ａ）乃至（ｃ）は、前記携帯電話用表示プログラムに基づく携帯電話２の表示画面４上の前記道路地図基本情報、時間付加道路地図情報の拡大、縮小表示態様を示すものである。
【００４８】
既述した図７（ａ）に示す表示画面４と同様な図８（ａ）に示す表示画面４において、携帯電話操作者が決定キー８を押すと、表示画面４の表示内容は、図８（ｂ）に示すように、時間付加道路地図情報の一部領域（例えば三宅坂付近）を拡大した表示に切り替わる。そして、図８（ｂ）に示す表示画面４において、携帯電話操作者が更に決定キー８を押すと、図８（ａ）に示す表示内容に戻る。
【００４９】
このようにして携帯電話操作者による表示画面４の特に拡大操作によって、時間付加道路地図情報の一部領域が拡大表示されるので、携帯電話操作者は自己が所望する箇所の所要時間をより明確に視認することができ、自動車運転時の首都高の特に所要時間に関する状況把握が極めて容易となる。
【００５０】
（表示態様Ｃ）サブメニュー：規制情報の詳細を見る；
次に、「サブメニュー：規制情報の詳細を見る」の詳細を図９、図１０を参照して説明する。
【００５１】
既述した図８（ａ）に示す表示画面４と同様な図１０（ａ）に示す表示画面４において、携帯電話操作者が０キーを押すと、前記携帯電話２の携帯制御部１０は、前記携帯電話用表示プログラムに基づき、図１０（ｂ）に示すように、表示画面４にサブメニューを表示する。
【００５２】
ここで、携帯電話操作者がスクロールキー５を操作し「規制情報の詳細を見る」を選択して決定キー８を押すと、前記携帯電話２の携帯制御部１０は、前記携帯電話用表示プログラムに基づき、図１０（ｃ）に示すように、表示画面４に規制情報の詳細を表示する。
【００５３】
図１０（ｃ）には、首都高羽田線、首都高向島線の事故状況等を表示した例を挙げている。図１０（ｃ）に示す画面表示において、携帯電話操作者がスクロールキー５を操作し、首都高羽田線を選択して決定キー８を押すと、前記携帯制御部１０は、前記携帯電話用表示プログラムに基づき、図１０（ｄ）に示すように、表示画面４に首都高羽田線の路線詳細情報（規制箇所、事故状況、渋滞情報等を表示する。
【００５４】
（表示態様Ｄ）サブメニュー：他のマップ（地図）へ；
次に、「サブメニュー：他のマップへ」の詳細を、図１１を参照して説明する。
【００５５】
既述した図１０（ｂ）に示す表示画面４と同様な図１１（ａ）に示すサブメニューの表示画面４において、携帯電話操作者がスクロールキー５を操作し、「他のマップへ」を選択して決定キー８を押すと、前記携帯制御部１０は、前記携帯電話用表示プログラムに基づき、図１１（ｂ）に示すように、表示画面４に既述した図６（ａ）と同様なトップメニューを表示する。
【００５６】
（表示態様Ｅ）サブメニュー：操作方法及びお知らせ表示について；
次に、「サブメニュー：操作方法について」の詳細を、図１２における上欄を参照して説明する。
【００５７】
図１２上欄（ａ）に示すように、前記携帯電話２の表示画面４に、図７（ｂ）に示す場合と同様な時間付加道路地図情報を表示し、かつ、０キーを押してサブメニューを表示した状態において、携帯電話操作者がスクロールキー５を操作し、「操作方法について」を選択して決定キー８を押すと、前記携帯制御部１０は、前記携帯電話用表示プログラムに基づき、図１２上欄（ｂ）に示すように、表示画面４にマップ更新等の文字情報を表示する。
【００５８】
次に、「サブメニュー：お知らせ表示」の詳細を、図１２下欄を参照して説明する。
図１２下欄（ｃ）に示すように、表示画面４に図１２上欄（ａ）に示す場合と同様なサブメニューを表示した状態において、携帯電話操作者がスクロールキー５を操作し、「お知らせ表示」を選択して決定キー８を押すと、前記携帯制御部１０は、前記携帯電話用表示プログラムに基づき、図１２下欄（ｄ）に示すように、表示画面４にお知らせ内容等の文字情報を表示する。
【００５９】
（表示態様Ｆ）サブメニュー：ルート検索；
次に、「サブメニュー：ルート検索」の詳細を、図１３に示すフローチャート及び図１４乃至図２０を参照して詳述する。
【００６０】
図１３、図１４（ａ）に示すように、携帯電話操作者がスクロールキー５を操作し、「ルート検索」を選択して決定キー８を押すと、前記携帯制御部１０は、前記携帯電話用表示プログラムに基づき、図１４（ｂ）に示すように、表示画面４にルート検索トップ画面である出発ＩＣ（インターチェンジ）選択のための文字情報が表示され、次いで図１４（ｃ）に示すように、ＩＣ名選択項目が表示される。
【００６１】
図１４（ｃ）に示す表示画面４において、携帯電話操作者がスクロールキー５を操作し、「路線から選択」を選択して決定キー８を押すと、前記携帯制御部１０は、前記携帯電話用表示プログラムに基づき、図１４（ｄ）に示すように、表示画面４にエリア選択画面を表示する。
【００６２】
図１４（ｄ）に示す表示画面４において、携帯電話操作者がスクロールキー５を操作し、「首都高」を選択して決定キー８を押すと、前記携帯制御部１０は、前記携帯電話用表示プログラムに基づき、図１４（ｅ）に示すように、表示画面４に「首都高」に属する都心環状線、１号羽田線、・・・等の路線選択画面を表示する。
【００６３】
図１４（ｅ）に示す路線選択のための表示画面４において、携帯電話操作者がスクロールキー５を操作し、例えば「都心環状線」を選択して決定キー８を押すと、前記携帯制御部１０は、前記携帯電話用表示プログラムに基づき、図１４（ｆ）に示すように、表示画面４に都心環状線に属する複数のＩＣ名を列記表示したＩＣ選択画面を表示する。
【００６４】
次に、図１４（ｆ）に示すＩＣ選択のための表示画面４において、携帯電話操作者がスクロールキー５を操作し、例えば、「呉服橋」を選択して決定キー８を押すと、前記携帯制御部１０は、前記携帯電話用表示プログラムに基づいて、図１５（ａ）に示すように、表示画面４に、出発地ＩＣである「呉服橋」を文字表示するとともに、「路線から選択」、「履歴から選択」の選択項目を掲げたルート検索の設定画面を表示する。
【００６５】
図１５（ａ）に示すルート検索の設定のための表示画面４において、携帯電話操作者がスクロールキー５を操作し、例えば「路線から選択」を選択し決定キー８を押すと、前記携帯制御部１０は、前記携帯電話用表示プログラムに基づき、図１５（ｂ）に示すように、表示画面４に、首都高、関東高速等のエリア選択画面を表示する。
【００６６】
図１５（ｂ）に示すエリア選択のための表示画面４において、携帯電話操作者がスクロールキー５を操作し、例えば「関東高速」を選択し決定キー８を押すと、前記携帯制御部１０は、前記携帯電話用表示プログラムに基づき、図１５（ｃ）に示すように、表示画面４に、東名、中央道等の路線選択項目を列記した具体的な路線選択画面を表示する。
【００６７】
図１５（ｃ）に示す具体的な路線選択のための表示画面４において、携帯電話操作者がスクロールキー５を操作し、例えば「中央道」を選択し決定キー８を押すと、前記携帯制御部１０は、前記携帯電話用表示プログラムに基づき、図１５（ｄ）に示すように、表示画面４に、中央道に属する複数のＩＣ名を列記表示したＩＣ選択画面を表示する。
【００６８】
図１５（ｄ）に示す表示画面４において、携帯電話操作者がスクロールキー５を操作し、例えば「相模湖」を選択し決定キー８を押すと、前記携帯制御部１０は、前記携帯電話用表示プログラムに基づき、図１５（ｅ）に示すように、表示画面４に、出発地ＩＣである「呉服橋」、目的ＩＣである「相模湖」を文字表示するとともに、「検索開始」の選択項目を掲げたルート検索の設定画面を表示する。
【００６９】
図１５（ｅ）に示す表示画面４において、携帯電話操作者がスクロールキー５を操作して、「検索開始」を選択し決定キー８を押すと、前記携帯制御部１０は、前記携帯電話用表示プログラムに基づき、図１５（ｆ）に示すように、表示画面４に、道路地図基本情報からなり、ルート１、ルート２、ルート３の選択項目を付加表示したルート全体図を表示する。
なお、本実施例においては、図１５（ｆ）に示すルート全体図として、図１６（ａ），（ｂ），（ｃ）に示すように３態様の表示を前記スクロールキー５の左右キー操作で選択し決定キー８の操作で各々表示画面４に表示し、確認可能としている。
【００７０】
そして、携帯電話操作者がスクロールキー５を操作し、ルート１を選択して決定キー８を押した場合のルート１検索結果画面を図１７に示している。
【００７１】
図１８（ａ）は、図１５（ｆ）に示すルート全体図を表示した表示画面４と同様な表示画面４を示し、この図１８（ａ）に示す表示画面４を見た携帯電話操作者がＭＥＮＵ（テンキーのうちの０キー）を押して図１８（ｂ）に示すようなサブメニューを表示し、更にマップ切替欄のルート１を選択し決定キー８を押すと、表示画面４には図１８（ｃ）に示す関東高速のルート全体図が表示される。
【００７２】
図１９（ａ）は、図１８（ａ）と同様な表示画面４を示し、この図１９（ａ）に示す表示画面４を見た携帯電話操作者がＭＥＮＵ（テンキーのうちの０キー）を押して図１９（ｂ）に示すようなサブメニューを表示し、更に概要表示欄のルート１を選択し決定キー８を押すと、表示画面４には図１９（ｃ）に示すルート１の概要としての文字情報が表示される。
【００７３】
図２０はテンキーのうちの０キーを押したときのルート全体図の表示例を示す。この場合には、ルート１、ルート２、ルート３の選択項目表示を表示画面４から消失させるものである。
【００７４】
（表示態様Ｇ）ルート検索後のマップ（地図）切替；
上述した図１７に示すようなルート１の検索結果画面を表示画面４に表示した後における首都高から関東高速へのマップ切替について図２１乃至図２４を参照して説明する。
【００７５】
なお、携帯電話操作者は、携帯電話２を保有しつつ自動車に乗り、図２１のフローチャートに示すように首都高を走行し、中央道の相模湖ＩＣに向かって走行しているものとする。
【００７６】
そして、予め設定した距離基準（例えば５ｋｍ等）に基づき、八王子ＩＣと携帯電話２の現在地との距離が距離基準の範囲内に入ったとき（図２２に概念的に示すように、携帯電話２の現在地が関東高速エリアを示すグレーゾーンに入ったとき）、図２２に示すように、携帯電話２における表示画面４の地図表示欄の上部に、図２２に示すように、操作キー・キー操作内容表示である「３：関東高速マップ切替」を表示する。
【００７７】
ここで、表示画面４を見た携帯電話操作者が図２１のフローチャートに示すようにテンキーにおける３キーを押すと、前記携帯制御部１０は、前記携帯電話用表示プログラムに基づき、表示画面４の表示を後述する図２４に示すような中央道の八王子付近から以西の領域を表示する時間付加道路地図情報の表示に切替る。
【００７８】
これにより、携帯電話操作者は、表示画面４に表示されている首都高に属する時間付加道路地図情報を見ながら、テンキーにおける３キーを押すという簡略操作だけで、まもなく走行する関東高速エリアの時間付加道路地図情報への切替を速やかに行い、各ＩＣ間の所要時間、渋滞状況を的確に把握することができる。
【００７９】
前記携帯電話２の現在地が、首都高から東名エリアへ、首都高から関越道エリアへ、首都高から東北道エリアへと各々移動する場合等も上述した場合と同様である。
【００８０】
次に、上述した場合とは逆に、関東高速から首都高へのマップ切替について図２３、図２４を参照して説明する。
【００８１】
なお、携帯電話操作者は、携帯電話２を保有しつつ自動車に乗り、例えば東名の東名川崎付近を首都高エリアに向かって走行しているものとする。
【００８２】
そして、図２３のフローチャートに示すように予め設定した距離基準（例えば５ｋｍ等）に基づき、例えば東京料金所と携帯電話２の現在地との距離が距離基準の範囲内に入ったとき（図２４に概念的に示すように、携帯電話２の現在地が首都高エリアを示すグレーゾーンに入ったとき）、図２４に示すように、携帯電話２における表示画面４の地図表示欄の上部に、操作キー・キー操作内容表示である「３：首都高マップ切替」を表示する。
【００８３】
ここで、表示画面４を見た携帯電話操作者が図２３のフローチャートに示すようにテンキーにおける３キーを押すと、前記携帯制御部１０は、前記携帯電話用表示プログラムに基づき、表示画面４の表示を首都高エリアの東京料金所以東の領域を表示する時間付加道路地図情報の表示に切り替わる。
【００８４】
これにより、携帯電話操作者は、表示画面４に表示されている関東高速エリアの一つである東名に属する時間付加道路地図情報を見ながら、テンキーにおける３キーを押すという簡略操作だけで、まもなく走行する首都高エリアの時間付加道路地図情報への切替を速やかに行い、首都高エリアにおける各ＩＣ間の所要時間、渋滞状況を的確に把握することができる。
【００８５】
前記携帯電話２の現在地が、中央道エリアから首都高エリアへ、関越道エリアから首都高エリアへ、東北道エリアから首都高エリアからへと各々移動する場合等も上述した場合と同様である。
【００８６】
なお、上述した実施例では、携帯電話２の表示画面４に、首都高、関東高速の道路地図基本情報、時間付加道路地図情報を切替表示する場合について説明したが、この他、中部高速、近畿高速等の別のエリアの各地図情報を切替表示できることは勿論である。
【産業上の利用可能性】
【００８７】
本発明は、複数の携帯電話事業者が各々提供する各種携帯電話に関して各々適用することが可能であるとともに、既述したような携帯電話を利用するシステム構成とする他、情報通信機能を有する携帯情報端末や、携帯電話と携帯型のノートパソコンとを組み合わせた携帯端末等を利用するシステム構成の道路情報配信表示システムとしての応用も可能である。
【符号の説明】
【００８８】
１    道路情報配信表示システム
２    携帯電話
３    操作キー
４    表示画面
５    スクロールキー
６    ＊キー
７    ♯キー
８    決定キー
９    戻るキー
１０    携帯制御部
１１    ＧＰＳ情報受信部
１１Ａ  ＧＰＳ情報記憶部
１２    電源部
１３    操作入力制御部
１４    表示制御部
１５    記憶部
１６    送受信部
１７    変調復調部
３１    携帯電話通信網
３２    携帯電話回線網
３３    携帯電話基地局
４１    携帯電話通信コンピュータ装置
５１    通信網
６１    道路地図情報配信コンピュータ装置
６２    ＶＩＣＳ（登録商標）情報受信部
６３    ＶＩＣＳ（登録商標）情報記憶部
６４    源地図情報ＤＢ
６５    道路地図基本情報作成部
６６    第１ＤＢ
６７    所要時間算出部
６８    時間付加道路地図情報作成部
６９    第２ＤＢ
７０    関連文字情報作成端末
７１    第３ＤＢ
７２    ＷＥＢサーバー
７３    地図情報サーバー
７４    アプリケーションＤＢ
７５    アプリケーションサーバー
９１    金融機関コンピュータ装置
【図１】
0005714853.tif 000002
【図２】
0005714853.tif 000003
【図３】
0005714853.tif 000004
【図４】
0005714853.tif 000005
【図５】
0005714853.tif 000006
【図９】
0005714853.tif 000007
【図１３】
0005714853.tif 000008
【図２１】
0005714853.tif 000009
【図２３】
0005714853.tif 000010
【図６】
0005714853.tif 000011
【図７】
0005714853.tif 000012
【図８】
0005714853.tif 000013
【図１０】
0005714853.tif 000014
【図１１】
0005714853.tif 000015
【図１２】
0005714853.tif 000016
【図１４】
0005714853.tif 000017
【図１５】
0005714853.tif 000018
【図１６】
0005714853.tif 000019
【図１７】
0005714853.tif 000020
【図１８】
0005714853.tif 000021
【図１９】
0005714853.tif 000022
【図２０】
0005714853.tif 000023
【図２２】
0005714853.tif 000024
【図２４】
0005714853.tif 000025